(57)【要約】【課題】衛生洗浄装置内部を通過する洗浄水の流量を小さくした場合においても、清潔な洗浄水で人体を洗浄することができる衛生洗浄装置を提供することを目的としている。【解決手段】本発明における衛生洗浄装置は、ノズルの吐水口から人体局部へ向けて洗浄水を吐水する衛生洗浄装置であって、給水源から供給された洗浄水をノズルに導く導水部と、導水部を流れる洗浄水に紫外線を照射する紫外線照射部と、導水部に設けられ、紫外線照射部から照射された紫外線を受ける除菌エリアと、紫外線照射部からの紫外線の照射照度及び除菌エリアを通過する洗浄水の流量を制御する制御部と、を備え、制御部は、除菌エリアを通過する洗浄水の単位時間当たりの流量が多い場合より除菌エリアを通過する洗浄水の単位時間当たりの流量が少ない場合のほうが、除菌エリアに対する積算照射照度が高くなるように制御する。【選択図】図５
2019056250.tif 000002
【特許請求の範囲】
【請求項１】
ノズルの吐水口から人体局部へ向けて洗浄水を吐水する衛生洗浄装置であって、
給水源から供給された洗浄水を前記ノズルに導く導水部と、
前記導水部を流れる洗浄水に紫外線を照射する紫外線照射部と、
前記導水部に設けられ、前記紫外線照射部から照射された紫外線を受ける除菌エリアと、
前記紫外線照射部からの紫外線の照射量及び前記除菌エリアを通過する洗浄水の流量を制御する制御部と、
を備え、
前記制御部は、前記除菌エリアを通過する洗浄水の単位時間当たりの流量が多い場合より前記除菌エリアを通過する洗浄水の単位時間当たりの流量が少ない場合のほうが、前記除菌エリアに対する積算照射照度が高くなるように制御することを特徴とする衛生洗浄装置。
【請求項２】
前記制御部は、前記除菌エリアを通過する洗浄水の単位時間当たりの流量が減少するに伴い前記紫外線照射部への通電量を低くするように制御しており、前記除菌エリアを通過する洗浄水の流量によらず積算照射照度が一定の場合と比較して、前記除菌エリアを通過する洗浄水の単位時間当たりの流量が減少するに伴い、前記紫外線照射部への通電量が高くなるように制御する請求項１記載の衛生洗浄装置。
【発明の詳細な説明】
【技術分野】
【０００１】
本発明は、衛生洗浄装置に関し、特に、紫外線照射部を備えた衛生洗浄装置に関する。
【背景技術】
【０００２】
従来、衛生洗浄装置の洗浄水として使用される水道水では、病気や腐敗を起こす可能性のある菌（微生物）を塩素によって死滅又は不活性化させることにより、菌を減らすことが行われている。しかしながら、塩素の混入のみで水道水中に含まれる菌を完全に取り除けるわけではない。
このため、衛生洗浄装置では、洗浄水に紫外線を照射する紫外線照射部を設置し、該設置位置を流路切替部よりも上流側に紫外線照射部を設けることで、洗浄水に含まれる菌をより低減させることが提案されている。（例えば、特許文献１）
【先行技術文献】
【特許文献】
【０００３】
【特許文献１】特開２０１５−０６６６３０号公報
【発明の概要】
【発明が解決しようとする課題】
【０００４】
一般的な衛生洗浄装置において、吐水開始初期の洗浄水は、衛生洗浄装置内部の配管内に長時間保持された洗浄水であるため、吐水開始後所定時間経過した洗浄水と比較して洗浄水が長時間滞留することで菌が多く溶存している虞があった。このような長時間滞留した洗浄水が排出され、新たに給水源から供給される洗浄水と置換されるまでに要する時間は短時間であるため、紫外線の照射照度は吐水開始後所定時間経過した置換された洗浄水に合せて設定されていた。
【０００５】
しかしながら、特開２０１５−０６６６３０号公報（特許文献１）の構成では、衛生洗浄装置内部を通過する洗浄水の流量を小さくすると、吐水開始初期に衛生洗浄装置内部に滞留した洗浄水が排出されるまでに時間を要し、吐水初期の菌が多く溶存している虞がある洗浄水にて長い時間人体洗浄が行われる問題があった。
【０００６】
本発明は、前記課題を解決するためになされたものであり、衛生洗浄装置内部を通過する洗浄水の流量を小さくした場合においても、清潔な洗浄水で人体を洗浄することができる衛生洗浄装置を提供することを目的としている。
【課題を解決するための手段】
【０００７】
前記目的を達成するために請求項１記載の衛生洗浄装置においては、ノズルの吐水口から人体局部へ向けて洗浄水を吐水する衛生洗浄装置であって、給水源から供給された洗浄水をノズルに導く導水部と、導水部を流れる洗浄水に紫外線を照射する紫外線照射部と、導水部に設けられ、紫外線照射部から照射された紫外線を受ける除菌エリアと、紫外線照射部からの紫外線の照射量及び除菌エリアを通過する洗浄水の流量を制御する制御部と、を備え、制御部は、除菌エリアを通過する洗浄水の単位時間当たりの流量が多い場合より除菌エリアを通過する洗浄水の単位時間当たりの流量が少ない場合のほうが、除菌エリアに対する積算照射照度が高くなるように制御することを特徴とする。
このように、除菌エリアを通過する単位時間当たりの洗浄水の流量が多い場合より除菌エリアを通過する単位時間当たりの洗浄水の流量が少ない場合のほうが、紫外線照射部から照射される紫外線の積算照射照度が高くなるように制御しているため、除菌エリアを通過する単位時間当たりの流量が少ないため流速が低下することで、吐水初期に導水部内に滞留していた洗浄水を新たに給水源から供給された洗浄水と置換するまでの時間が長くかかる場合であっても、長時間滞留する虞のある洗浄水をしっかりと除菌することができる。
従って、常に清潔な洗浄水で人体を洗浄することができ衛生上好ましい。
【０００８】
また、請求項２記載の衛生洗浄装置においては、制御部は、除菌エリアを通過する洗浄水の流量が減少するに伴い紫外線照射部への通電量を低くするように制御しており、除菌エリアを通過する洗浄水の流量によらず積算照射照度が一定の場合と比較して、除菌エリアを通過する洗浄水の流量が減少するに伴い、紫外線照射部への通電量が高くなるように制御することを特徴とする。
このように、除菌エリアを通過する洗浄水の流量によらず積算照射照度が一定の場合と比較して、除菌エリアを通過する洗浄水の流量が減少するに伴い、紫外線照射部への通電量が高くなるように制御しているため、吐水初期の長時間滞留する虞のある洗浄水に対して、より確実に除菌することができ、常に清潔な洗浄水で人体を洗浄することができる。
【発明の効果】
【０００９】
本発明によれば、除菌エリアを通過する単位時間当たりの洗浄水の流量が多い場合より除菌エリアを通過する単位時間当たりの洗浄水の流量が少ない場合のほうが、紫外線照射部から照射される紫外線の積算照射照度が高くなるように制御しているため、除菌エリアを通過する単位時間当たりの流量が少ないため流速が低下することで、吐水初期に導水部内に滞留していた洗浄水を新たに給水源から供給された洗浄水と置換するまでの時間が長くかかる場合であっても、長時間滞留する虞のある洗浄水をしっかりと除菌することができる。
従って、常に清潔な洗浄水で人体を洗浄することができ衛生上好ましい。
【図面の簡単な説明】
【００１０】
【図１】本発明の実施形態における衛生洗浄装置を備えたトイレ装置を表す斜視模式図である。
【図２】本発明の実施形態における衛生洗浄装置の要部構成を表すブロック図である。
【図３】本発明の実施形態における除菌エリアを通過する水が受ける紫外線の積算照射照度と除菌率の関係である。
【図４】本発明の実施形態における除菌エリアを通過する水が受ける紫外線の積算照射照度と除菌エリアを通過する単位時間当たりの流量との関係である。
【図５】本発明の実施形態における紫外線照射部への投入電力と除菌エリアを通過する単位時間当たりの流量との関係である。
【図６】本発明の実施形態における制御部による紫外線照射部への制御動作を示すフローチャートである。
【図７】図６に示す紫外線照射動作に係るサブルーチンのフローチャートである。
【発明を実施するための形態】
【００１１】
以下、本発明の実施の形態について図面を参照しつつ説明する。なお、各図面中、同様の構成要素には同一の符号を付して詳細な説明は適宜省略する。
図１は、本発明の実施形態における衛生洗浄装置を備えたトイレ装置を表す斜視模式図である。
図１に表したように、トイレ装置は、洋式腰掛便器（以下説明の便宜上、単に「便器」と称する）８００と、その上に設けられた衛生洗浄装置１００と、を備える。衛生洗浄装置１００は、ケーシング４００と、便座２００と、便蓋３００と、を有する。便座２００と便蓋３００とは、ケーシング４００に対して開閉自在にそれぞれ軸支されている。
【００１２】
ケーシング４００の内部には、便座２００に座った使用者の「おしり」などの洗浄を実現する身体洗浄機能部などが内蔵されている。また、例えばケーシング４００には、使用者が便座２００に座ったことを検知する着座検知センサ４０４が設けられている。着座検知センサ４０４が便座２００に座った使用者を検知している場合において、使用者が例えばリモコンなどの操作部５００を操作すると、洗浄ノズル（以下説明の便宜上、単に「ノズル」と称する）４７３を便器８００のボウル８０１内に進出させることができる。なお、図１に表した衛生洗浄装置１００では、ノズル４７３がボウル８０１内に進出した状態を表している。
【００１３】
ノズル４７３は、人体局部に向けて水を吐出し、人体局部の洗浄を行う。ノズル４７３の先端部には、ビデ洗浄吐水口４７４ａ及びおしり洗浄吐水口４７４ｂが設けられている。ノズル４７３は、その先端に設けられたビデ洗浄吐水口４７４ａから水を噴射して、便座２００に座った女性の女性局部を洗浄することができる。あるいは、ノズル４７３は、その先端に設けられたおしり洗浄吐水口４７４ｂから水（洗浄水）を噴射して、便座２００に座った使用者の「おしり」を洗浄することができる。なお、本願明細書において「水」という場合には、冷水のみならず、加熱されたお湯も含むものとする。
【００１４】
「おしり」を洗浄するモードのなかには、例えば、「おしり洗浄」と、「おしり洗浄」よりもソフトな水流で優しく洗浄する「やわらか洗浄」と、が含まれる。ノズル４７３は、例えば、「ビデ洗浄」と、「おしり洗浄」と、「やわらか洗浄」と、を実行することができる。
【００１５】
なお、図１に表したノズル４７３では、ビデ洗浄吐水口４７４ａがおしり洗浄吐水口４７４ｂよりもノズル４７３の先端側に設けられているが、ビデ洗浄吐水口４７４ａおよびおしり洗浄吐水口４７４ｂの設置位置は、これだけに限定されるわけではない。ビデ洗浄吐水口４７４ａは、おしり洗浄吐水口４７４ｂよりもノズル４７３の後端側に設けられていてもよい。
【００１６】
図２は、本発明の実施形態における衛生洗浄装置の要部構成を表すブロック図である。図２では、水路系と電気系の要部構成を併せて表している。
図２に表したように、衛生洗浄装置１００は、水道や貯水タンクなどの給水源１０からノズル４７３に至る導水部２０を有する。つまり、導水部２０は、給水源１０から供給された水Ｗをノズル４７３に導く。導水部２０は、例えば、以下に説明する電磁弁４３１、熱交換器４４０、流路切替部４７２などの各部と、これらの各部を接続する複数の配管である給水路２０ａによって形成される。
【００１７】
導水部２０の上流側には、電磁弁４３１が設けられている。電磁弁４３１は、開閉可能な電磁バルブであり、ケーシング４００の内部に設けられた制御部４０５からの指令に基づいて水Ｗの供給を制御する。電磁弁４３１を開状態にすることにより、給水源１０から供給された水Ｗが、電磁弁４３１より下流側の導水部２０に流れる。
【００１８】
電磁弁４３１の下流には、熱交換器４４０が設けられている。熱交換器４４０は、給水源１０から供給された水Ｗを加熱して例えば規定の温度まで昇温する。すなわち、熱交換器４４０は、温水を生成する。
【００１９】
熱交換器４４０は、制御部４０５と接続されている。制御部４０５は、例えば、使用者による操作部５００の操作に応じて熱交換器４４０を制御することにより、操作部５００で設定された温度に水Ｗを昇温する。
【００２０】
熱交換器４４０の下流には、流量センサ４４２が設けられている。流量センサ４４２は、熱交換器４４０から吐出された水Ｗの流量を検知する。すなわち、流量センサ４４２は、導水部２０内を流れる水の流量を検知する。流量センサ４４２は、制御部４０５に接続されている。流量センサ４４２は、流量の検知結果を制御部４０５に入力する。
【００２１】
流量センサ４４２の下流には、流量調整部４５０が設けられている。流量調整部４５０は、水勢（流量）の調整を行う。水勢（流量）の調整は、例えば、使用者の操作部５００への水勢変更操作により制御部４０５にて制御される。水勢の調整は、単位時間当たりの流量が最小であるモード１から最大であるモード５まで５段階設定されている。
【００２２】
流量調整部４５０の下流には、紫外線照射部４６０が設けられている。この紫外線照射部４６０は、紫外線照射部４６０の下流側に位置する給水路２０ａの一部である除菌エリア４６２に紫外線Ｓを照射する。
【００２３】
紫外線照射部４６０は、発光素子により、除菌エリア４６２を通過する水Ｗに紫外線Ｓを照射する。発光素子の照射する紫外線Ｓの波長は、例えば、２００ｎｍ以上４００ｎｍ以下である。好ましくは、２５０ｎｍである。これにより、ノズル４７３から吐水された水に含まれる菌を適切に減らすことができる。発光素子は、ＬＥＤ（Ｌｉｇｈｔ  Ｅｍｉｔｔｉｎｇ  Ｄｉｏｄｅ）である。発光素子は、ＬＥＤに限ることなく、例えば、ＬＤ（Ｌａｓｅｒ  Ｄｉｏｄｅ）やＯＬＥＤ（Ｏｒｇａｎｉｃ  Ｌｉｇｈｔ  Ｅｍｉｔｔｉｎｇ  Ｄｉｏｄｅ）などでもよい。
【００２４】
除菌エリア４６２に照射された紫外線Ｓにより、除菌エリア４６２を通過する水Ｗに含まれる菌の少なくとも一部を死滅又は不活性化させる。これにより、紫外線照射部４６０は、除菌エリア４６２を通過する水Ｗに含まれる生きた菌を減らす。つまり、紫外線照射部４６０は、紫外線Ｓの照射により、水Ｗを除菌する。紫外線照射部４６０は、不図示の配線により制御部４０５に接続されている。紫外線照射部４６０は、制御部４０５による制御に基づいて、紫外線Ｓの照射を行う。
【００２５】
除菌エリア４６２の下流には、流路切替部４７２が設けられている。流路切替部４７２は、ノズル４７３やノズル洗浄室４７８への給水の開閉や切替を行う。流量調整部４５０及び流路切替部４７２は、１つのユニットとして設けてもよい。流量調整部４５０及び流路切替部４７２は、制御部４０５に接続されている。流量調整部４５０及び流路切替部４７２の動作は、制御部４０５によって制御される。
【００２６】
流路切替部４７２の下流には、ノズルユニット４８０が設けられている。ノズルユニット４８０は、ノズル４７３と、ノズル洗浄室４７８と、ノズルモータ４７６と、を有している。
【００２７】
ノズル４７３は、ノズルモータ（ノズル駆動部）４７６からの駆動力を受け、便器８００のボウル８０１内に進出したり後退したりする。つまり、ノズルモータ４７６は、制御部４０５からの指令に基づいてノズル４７３を進退させる。
【００２８】
ノズル洗浄室４７８は、その内部に設けられた吐水部から水Ｗを噴射することにより、ノズル４７３の外周表面（胴体）を洗浄する。
【００２９】
導水部２０は、流路として、給水路２０ａと、おしり洗浄流路２１と、やわらか洗浄流路２２と、ビデ洗浄流路２３と、表面洗浄流路２４と、を有しており、流路切替部４７２より上流側には給水路２０ａが、流路切替部４７２より下流側にはおしり洗浄流路２１と、やわらか洗浄流路２２と、ビデ洗浄流路２３と、表面洗浄流路２４と、が設けられている。
【００３０】
おしり洗浄流路２１と、やわらか洗浄流路２２と、ビデ洗浄流路２３と、は給水路２０ａを介して給水源１０から供給された水Ｗをそれぞれノズル４７３に設けられたビデ洗浄吐水口４７４ａ、おしり洗浄吐水口４７４ｂへ導く。
【００３１】
表面洗浄流路２４は、給水路２０ａを介して給水源１０から供給された水をノズル洗浄室４７８の吐水部へ導く。
【００３２】
制御部４０５は、流路切替部４７２を制御することにより、おしり洗浄流路２１、やわらか洗浄流路２２、ビデ洗浄流路２３、表面洗浄流路２４と、の各流路の開閉を切り替える。このように、流路切替部４７２は、おしり洗浄吐水口４７４ｂ、ビデ洗浄吐水口４７４ａ、及び、ノズル洗浄室４７８などの複数の吐水口のそれぞれについて、給水路２０ａに連通させた状態と、給水路２０ａに連通させない状態と、を切り替える。
【００３３】
制御部４０５は、電源回路４０１から電力を供給され、流量センサ４４２や、操作部５００などからの信号に基づいて、電磁弁４３１や、熱交換器４４０や、流量調整部４５０や、紫外線照射部４６０や、流路切替部４７２や、ノズルモータ４７６などの動作を制御する。
【００３４】
さらに、制御部４０５は、人体洗浄時に吐水が開始された時点からの時間を計時するタイマー及び流量調整部４５０の水勢の設定状況を記憶するメモリ（不図示）を有する。メモリは、例えばＣＰＵに接続されるＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）等により構成される。
【００３５】
次に、図３乃至図７にて除菌エリア４６２を通過する水Ｗに対する紫外線照射部４６０から照射される紫外線Ｓの制御について説明する。
図３は、本発明の実施形態における除菌エリアを通過する水が受ける紫外線の積算照射照度と除菌率の関係である。図４は、本発明の実施形態における除菌エリアを通過する水が受ける紫外線の積算照射照度と除菌エリアを通過する単位時間当たりの流量との関係である。図５は、本発明の実施形態における紫外線照射部への投入電力と除菌エリアを通過する単位時間当たりの流量との関係である。図６は、本発明の実施形態における制御部による紫外線照射部への制御動作を示すフローチャートである。図７は、図６に示す紫外線照射動作に係るサブルーチンのフローチャートである。
【００３６】
はじめに、人体洗浄に用いられる水Ｗを除菌するための基本的な考え方について図３を参照しながら説明する。
除菌エリア４６２を通過する水Ｗが受ける紫外線Ｓの積算照射照度Ｉの増加に伴い、除菌エリア４６２を通過する水Ｗの除菌率は増加する。
ここで、積算照射照度Ｉは、水Ｗが除菌エリア４６２を通過するまでに要する時間と紫外線照射部４６０への投入電力Ｐ（紫外線の照射量）により算出される。
【００３７】
除菌エリア４６２の断面積は、一定であるため、除菌エリア４６２を通過する単位時間当たりの流量が減少することに伴い、流速が遅くなる。そのため、除菌エリア４６２を通過する単位時間当たりの水Ｗの流量が減少することに伴い、除菌エリア４６２を通過する水Ｗは紫外線Ｓの照射を受ける時間が増加する。
【００３８】
図４には、水勢変更に伴い変更可能な単位時間当たりの流量が異なる５段階のモードと紫外線の照射により水Ｗが受ける積算照射照度の関係において、人体洗浄開始から人体洗浄終了時まで間に除菌エリア４６２を通過する水Ｗが受ける紫外線Ｓの積算照射照度Ｉの基準値と補正値を示している。
【００３９】
図４に示すように、基準値は、除菌エリア４６２を通過する単位時間当たりの流量が変動したとしても、除菌エリア４６２を通過する水Ｗが受ける紫外線Ｓの積算照射照度Ｉが一定値となるように制御している。具体的には、単位時間当たりの流量が減少するほど、紫外線照射部４６０への投入電力Ｐを下げている（図５参照）。
【００４０】
補正値は、基準値と比較して、除菌エリア４６２を通過する単位時間当たりの流量が減少するほど、除菌エリア４６２を通過する水Ｗが受ける紫外線Ｓの積算照射照度Ｉが高くなるように制御している。具体的には、単位時間当たりの流量が少なくなるほど、紫外線照射部４６０への投入電力Ｐを下げる際の下げ幅を小さく制御している（図５参照）。
【００４１】
次に、制御部４０５による人体洗浄開始から人体洗浄終了までの紫外線照射部４６０に対する制御動作について図６及び図７を用いて説明する。
図６に示すように、紫外線照射部４６０に対する制御動作は全体としてステップＳ１０１〜Ｓ１０６からなる処理である。
【００４２】
まず、制御部４０５へ人体洗浄開始の指示があると、ステップＳ１０１の処理が行われる。
ステップＳ１０１において、制御部４０５は、制御部４０５に内蔵されたタイマーをスタートさせ吐水開始から経過した時間を計測する。
【００４３】
ステップＳ１０２において、制御部４０５は、制御部４０５に内蔵されたメモリから流量調整部４５０の流量設定状態（現時点の流量モード）を読み込む。
【００４４】
ステップＳ１０３において、制御部４０５は、読み込んだ流量設定状態から各流量モード毎に設定された紫外線照射部４６０への投入電力Ｐ（通電量）である基準値を設定する。
【００４５】
ステップＳ１０４において、制御部４０５は、紫外線照射部４６０へ通電指示をし、紫外線照射部４６０から除菌エリア４６２に対しての紫外線Ｓの照射を開始する。
【００４６】
ステップＳ１０５において、制御部４０５は、人体洗浄終了の指示があるか否かを判定する。人体洗浄終了の指示がある場合（Ｓ１０５：Ｙｅｓ）は、ステップＳ１０６へ進み、人体洗浄終了の指示がない場合（Ｓ１０５：Ｎｏ）は、ステップＳ１０４を繰り返し行う。
【００４７】
ステップＳ１０６において、制御部４０５は、紫外線照射部４６０への通電を停止し、紫外線照射部４６０から除菌エリア４６２に対しての紫外線Ｓの照射を終了する。
【００４８】
次に、制御部４０５による紫外線照射部４６０に対する制御動作について図７を用いて説明する。
図７に示すように、紫外線照射部４６０に対する制御動作は全体としてステップＳ２０１〜Ｓ２０６からなる処理である。
【００４９】
ステップＳ２０１において、制御部４０５は、タイマーの経過時間が所定時間経過したか否かを判定する。
タイマーの経過時間が所定時間経過した場合（Ｓ２０１：Ｙｅｓ）は、ステップＳ２０２へ進み、タイマーの経過時間が所定時間経過していない場合（Ｓ２０１：Ｎｏ）は、ステップＳ２０３へ進む。
この所定時間は、単位時間当たりの流量が最小であるモード１において電磁弁４３１から流路切替部４７２までの間に滞留した水が新たに給水源１０から供給された水Ｗに置換されるまでに要する程度である。
【００５０】
ステップＳ２０２において、制御部４０５は、積算照射照度Ｉが一定（図６参照）となるように紫外線照射部４６０への投入電力Ｐ（通電量）を低下させる。
具体的には、制御部４０５は、紫外線照射部４６０への投入電力Ｐを単位時間当たりの流量が同条件での補正値を基準値に変更する。
【００５１】
ステップＳ２０３において、制御部４０５は、流量変更指示があったか否かを判定する。
流量変更指示がある場合（Ｓ２０３：Ｙｅｓ）は、ステップＳ２０４へ進み、流量変更指示がない場合（Ｓ２０３：Ｎｏ）は、図６に示すメインのフローへ戻る。
【００５２】
このようにすることで、吐水中に流量を変更した際においても、除菌率を維持することができる。
【００５３】
ステップＳ２０４において、制御部４０５は、タイマーの経過時間が所定時間経過したか否かを再度判定する。
タイマーの経過時間が所定時間経過した場合（Ｓ２０４：Ｙｅｓ）は、ステップＳ２０５へ進み、タイマーの経過時間が所定時間経過していない場合（Ｓ２０４：Ｎｏ）は、ステップＳ２０６へ進む。
【００５４】
ステップＳ２０５において、制御部４０５は、紫外線照射部４６０への投入電力Ｐを変更された流量モードにおける基準値へ切り替える。つまり、現在の流量モードに合せた基準値から選択した流量モードに合せた基準値へ切り替える。
【００５５】
ステップＳ２０６において、制御部４０５は、紫外線照射部４６０への投入電力Ｐを変更された流量モードにおける補正値へ切り替える。つまり、現在の流量モードに合せた補正値から選択した流量モードに合せた補正値へ切り替える。
このようにすることで、特に、単位時間当たりの流量を小さいモードへ変更した場合、滞留した状態が維持されていた虞のある水Ｗのエネルギー損失が小さくなることで、一時的に滞留水が増加し除菌率が大きく低下したとしても、紫外線照射部４６０への投入電力Ｐを基準値よりも高めているため除菌率を高めることができる。
【００５６】
本発明の実施形態の衛生洗浄装置によれば、制御部４０５は、除菌エリア４６２を通過する単位時間当たりの水Ｗの流量が多い場合より除菌エリア４６２を通過する単位時間当たりの水Ｗの流量が少ない場合のほうが、紫外線照射部４６０から照射される紫外線Ｓの積算照射照度Ｉが高くなるように制御しているため、除菌エリア４６２を通過する単位時間当たりの流量が少なく、流速が低下することで、吐水初期に導水部２０内に滞留していた水Ｗを新たに給水源から供給された水Ｗと置換するまでの時間が長くかかる場合であっても、長時間滞留する虞のある水Ｗをしっかりと除菌することができる。
【００５７】
また、本発明の実施形態の衛生洗浄装置によれば、制御部４０５は、除菌エリア４６２を通過する水Ｗの流量によらず積算照射照度Ｉが一定の場合と比較して、除菌エリア４６２を通過する水Ｗの流量が減少するに伴い、紫外線照射部４６０への通電量が高くなるように制御しているため、吐水初期の長時間滞留する虞のある水Ｗに対して、より確実に除菌することができ、常に清潔な洗浄水で人体を洗浄することができる。
【００５８】
以上、本発明の好ましい実施形態を説明したが、上述した実施形態に種々の変更を加えることができる。例えば、単位時間当たりの流量が減少するほど水Ｗに対しての積算照射照度Ｉが増加すればよく、紫外線照射部４６０への投入電力Ｐを流量によらず一定に制御するものであっても良い。また、傾向として、単位時間当たりの流量が減少するほど水Ｗに対しての積算照射照度Ｉが増加すればよく、微小に増減するような信号のゆらぎも本発明に含まれる。
【符号の説明】
【００５９】
１０    給水源
２０    導水部
２０ａ  給水路
２１    おしり洗浄流路
２２    やわらか洗浄流路
２３    ビデ洗浄流路
２４    表面洗浄流路
１００  衛生洗浄装置
２００  便座
３００  便蓋
４００  ケーシング
４０１  電源回路
４０４  着座検知センサ
４０５  制御部
４３１  電磁弁
４４０  熱交換器
４４２  流量センサ
４５０  流量調整部
４６０  紫外線照射部
４６２  除菌エリア
４７２  流路切替部
４７３  ノズル
４７６  ノズルモータ
４７８  ノズル洗浄室
４８０  ノズルユニット
８００  便器
８０１  ボウル
Ｉ      積算照射照度
Ｓ      紫外線
Ｗ      水
Ｐ      投入電力
【図１】
2019056250.tif 000003
【図２】
2019056250.tif 000004
【図３】
2019056250.tif 000005
【図４】
2019056250.tif 000006
【図５】
2019056250.tif 000007
【図６】
2019056250.tif 000008
【図７】
2019056250.tif 000009